(57)【要約】  【課題】  面状照明装置における光補正シートのたわみの防止を従来よりも簡易な形で実現できるようにすること。  【解決手段】  係合断面が長方形の係合突起４ａと、その長方形を包含する大きさの長方形の係合穴２ａを、矩形の筐体４の左右の側辺上、上辺寄りに、筐体４の縦中心軸を対称軸にして左右対称の位置に、左右対称形状で形成する。左右の係合突起４ａの係合断面の長方形の長軸をそれぞれ、左下がり、右下がりの向きとし、係合穴２aの長軸は係合断面の長方形の長軸に平行なものとする。この係合穴２ａを係合突起４ａに係合させた状態では、左の係合穴２ａの上側左下向きの斜辺が左の係合突起４ａの上側左下向きの斜面にぴったりと接するとともに、係合穴２ａと係合突起４ａが接しているのはこれらの斜辺の部分のみで、他の部分は全く接触のない位置関係にする。右側の要素も同様とする。【選択図】      図２
2006331649.tif 000002
【特許請求の範囲】
【請求項１】
面状発光部の前面に光補正シートが設置された面状照明装置において、
前記発光部と前記光補正シートを収納する矩形の筐体またはそのカバーの左右の位置に、表示装置の前後方向に向かう対の係合突起が突設されており、前記光補正シートは、それを前記筐体に設置した際に、前記係合突起に対応する位置に対の係合穴が形成されており、その係合穴の部分で前記係合突起に垂下されるようになっており、左右の各係合穴の形状は、少なくとも、シートの縦中心軸に対して左のものは左下に、右のものは右下に向かう斜辺を有するとともに、対応する各係合突起の係合断面を隙間をもって含む形状を成し、その係合突起は、前記係合穴に対し、係合穴を係合させて光補正シートを垂下した際、係合穴との接触部位が係合穴の前記斜辺部のみとなるような形状と位置関係を有していることを特徴とする面状照明装置における光補正シートのたわみ防止構造。
【請求項２】
面状発光部の前面に光補正シートが設置された面状照明装置において、
前記発光部と前記光補正シートを収納する矩形の筐体またはそのカバーの下辺の左右に、照明装置の前後方向に向かう対の係止突起が突設されており、前記光補正シートは、それを前記筐体に設置した際に、前記係止突起に対応する位置に切り欠きが形成されており、その切り欠きの部分で前記係止突起に係止されるようになっており、左右の各切り欠きは、少なくとも、シートの縦中心軸に対して左のものは左下に、右のものは右下に向かう斜辺を有しており、前記係止突起は、前記切り欠きに対し、その切り欠きを係止させて光補正シートを垂下した際、切り欠きとの接触部位が切り欠きの前記斜辺部のみとなるような形状と位置関係を有していることを特徴とする面状照明装置における光補正シートのたわみ防止構造。
【請求項３】
面状発光部の前面に光補正シートが設置された面状照明装置において、
前記発光部と前記光補正シートを収納する矩形の筐体またはそのカバーの左右の側辺のいずれか一方寄りに照明装置の前後方向に沿う回転軸と、他方寄りに照明装置の前後方向に向かう係合突起が突設されており、前記光補正シートを前記筐体またはそのカバーに設置する際に、その光補正シートの前記回転軸に対応する位置をその回転軸回りに回転可能に支持させた状態で前記筐体またはそのカバーに設置した際に、光補正シートには前記係合突起に対応する位置に係合穴が形成されており、その係合穴の部分で前記係合突起に垂下されるようになっており、その係合穴の形状は、少なくとも、シートの縦中心軸に対して左に形成されている場合は左下に、右に形成されている場合は右下に向かう斜辺を有するとともに、対応する係合突起の係合断面を隙間をもって含む形状を成し、その係合突起は、前記係合穴に対し、係合穴を係合させて光補正シートを垂下した際、係合穴との接触部位が係合穴の前記斜辺部のみとなるような形状と位置関係を有していることを特徴とする面状照明装置における光補正シートのたわみ防止構造。
【請求項４】
面状発光部の前面に光補正シートが設置された面状照明装置において、
前記発光部と前記光補正シートを収納する矩形の筐体またはそのカバーの左右の側辺のいずれか一方寄りに照明装置の前後方向に沿う回転軸と、他方寄りの下辺に照明装置の前後方向に向かう係止突起が突設されており、前記光補正シートを前記筐体またはそのカバーに設置する際に、その光補正シートの前記回転軸に対応する位置をその回転軸回りに回転可能に支持させた状態で前記筐体またはそのカバーに設置した際に、前記係止突起に対応する位置に切り欠きが形成されており、その切り欠きの部分で前記係止突起に係止されるようになっており、その切り欠きは、少なくとも、シートの縦中心軸に対して左に形成されている場合は左下に、右に形成されている場合は右下に向かう斜辺を有しており、前記係止突起は、前記切り欠きに対し、その切り欠きを係止させて光補正シートを垂下した際、切り欠きとの接触部位が切り欠きの前記斜辺部のみとなるような形状と位置関係を有していることを特徴とする面状照明装置における光補正シートのたわみ防止構造。
【請求項５】
請求項１から４のいずれかに記載の光補正シートのたわみ防止構造を備えた面状照明装置をバックライトに有する透過型液晶表示装置。
【発明の詳細な説明】
【技術分野】
【０００１】
この発明は面状照明装示装置に係り、詳しくは、その発光部の前面に設置される光補正シートのたわみの防止構造に関する。
【背景技術】
【０００２】
一般に、面状照明装置には、面状発光部とその前カバーとの間に種々の光補正シートが設置されている。例えば、発光部表面の輝度を高めるための輝度上昇シート、光偏光選択性反射透過シート、集光シート、拡散シートなどである。
【０００３】
これらの光補正シートは、透過光性能を充分に発揮させるために一般的に薄膜状に形成されており、熱や湿度の変化によって伸縮しやすく、また、歪を発生し易い。そのため、そのシートの伸縮や歪によって、発光部の明るさにむらが生じるという問題がある。特に、大型の光補正シートの場合にこの問題は顕著であり、液晶表示装置の大型化に伴い、透過型液晶表示装置の照明（バックライト）用に使用される照明装置も、その大型化が進む今日、この問題の解決は急務である。
【０００４】
そのような問題に対処するため、光補正シートの端部にシャーシ形状を取り付けておき、熱や湿気でシートが変形し、それにたわみが生じた場合、そのシャーシ形状を局所的に押さえることにより、シートの中央のたわみを四隅に追いやって、表示装置の表示中心に対応する領域のシートのたわみの存在を解消しようとする方法が下記の公知文献（特許文献１）に開示されている。
【特許文献１】特開平１１−３０６８３５号公報
【発明の開示】
【発明が解決しようとする課題】
【０００５】
しかしながら、上記公知文献に開示された照明装置における光補正シートのたわみの防止構造では、たわみが発生した場合には、いちいちそのシートに設けたシャーシ形状を局所的に押さえて、たわみを四隅に追いやるという甚だ原始的で手間のかかることをしなければならない、という問題がある。
【０００６】
また、手作業であるので、その作業を行う作業者によってたわみの解消状態にもバラつきが生じる、という問題もある。
【０００７】
そこで、本発明は、面状照明装置における光補正シートのたわみが、上記のような手間をとらずに、また、確実に解消できるようにすることを課題とする。
【課題を解決するための手段】
【０００８】
上記課題を達成するために、本発明は、面状発光部の前面に光補正シートが設置された面状照明装置において、前記発光部と前記光補正シートを収納する矩形の筐体またはそのカバーの左右の対称位置に、表示装置の前後方向に向かう対の係合突起が突設されており、前記光補正シートは、それを前記筐体に設置した際に、前記係合突起に対応する位置に対の係合穴が形成されており、その係合穴の部分で前記係合突起に垂下されるようになっており、左右の各係合穴の形状は、少なくとも、シートの縦中心軸に対して左のものは左下に、右のものは右下に向かう斜辺を有するとともに、対応する各係合突起の係合断面を隙間をもって含む形状を成し、その係合突起は、前記係合穴に対し、係合穴を係合させて光補正シートを垂下した際、係合穴との接触部位が係合穴の前記斜辺部のみとなるような形状と位置関係を有している光補正シートのたわみ防止構造の構成を採用したのである。
【０００９】
すなわち、本発明の本質は、光補正シートを、それに設けた係合穴と筐体側の係合突起との間で支持させ、その支持力から斜面を介在させて水平分力を発生させ、その水平分力によって、前記光補正シートに、その板面に沿う緊張力を発現させようとしたものである。
【００１０】
そのため、上記のように構成して、前記光補正シートを左右の係合穴で対応する係合突起に垂下させると、シートが係合突起に及ぼす自重の係合突起からの反力は、シートの係合穴の斜辺部のみにかかり、左右それぞれの係合穴において、前記反力の水平分力が全てシートの外向きの分力となる。従って、その左右の外向き水平分力によってシートを緊張状態に保つことができる。
【００１１】
また、上記課題を達成するための他の構成として、面状発光部の前面に光補正シートが設置された面状照明装置において、前記発光部と前記光補正シートを収納する矩形の筐体またはそのカバーの下辺の左右に、照明装置の前後方向に向かう対の係止突起が突設されており、前記光補正シートは、それを前記筐体に設置した際に、前記係止突起に対応する位置に切り欠きが形成されており、その切り欠きの部分で前記係止突起に係止されるようになっており、左右の各切り欠きは、少なくとも、シートの縦中心軸に対して左のものは左下に、右のものは右下に向かう斜辺を有しており、前記係止突起は、前記切り欠きに対し、その切り欠きを係止させて光補正シートを垂下した際、切り欠きとの接触部位が切り欠きの前記斜辺部のみとなるような形状と位置関係を有している光補正シートのたわみ防止構造の構成とすることもできる。
【００１２】
この場合も、前記光補正シートを、左右の切り欠きで対応する係止突起に係止させると、シートが係止突起に及ぼす自重の係止突起からの反力は、シートの切り欠きの斜辺部のみにかかり、左右それぞれの切り欠きにおいて、前記反力の水平分力が全てシートの外向きの分力となるので、その左右の外向き水平分力によって光補正シートを緊張状態に保つことができる。
【００１３】
さらに他の構成として、面状発光部の前面に光補正シートが設置された面状照明装置において、
前記発光部と前記光補正シートを収納する矩形の筐体またはそのカバーの左右の側辺のいずれか一方寄りに照明装置の前後方向に沿う回転軸と、他方寄りに照明装置の前後方向に向かう係合突起が突設されており、前記光補正シートを前記筐体またはそのカバーに設置する際に、その光補正シートの前記回転軸に対応する位置をその回転軸回りに回転可能に支持させた状態で前記筐体またはそのカバーに設置した際に、光補正シートには前記係合突起に対応する位置に係合穴が形成されており、その係合穴の部分で前記係合突起に垂下されるようになっており、その係合穴の形状は、少なくとも、シートの縦中心軸に対して左のものは左下に、右のものは右下に向かう斜辺を有するとともに、対応する係合突起の係合断面を隙間をもって含む形状を成し、その係合突起は、前記係合穴に対し、係合穴を係合させて光補正シートを垂下した際、係合穴との接触部位が係合穴の前記斜辺部のみとなるような形状と位置関係を有している構成とすることもできる。
【００１４】
この場合も、前記光補正シートを、その係合穴を係合突起に係止させると、係合穴と前記回転軸を結ぶ距離とシートの自重を掛け合わせたモーメントが係合突起に作用し、その係合突起からの反力は、シートの係合穴の斜辺部のみにかかり、その係合穴において、前記反力の水平分力がシートの外向きの分力となるので、その外向き水平分力によって光補正シートを緊張状態に保つことができる。
【００１５】
さらにまた、この場合において、光補正シートに緊張状態を与えるための、光シートが筐体またはカバーに回転可能に支持された状態での対の係合形状として、係止突起と切り欠きの関係を形成しても上記と同じ効果を得ることができる。詳細は、後出の第４の実施形態を参照されたい。
【発明の効果】
【００１６】
以上説明したように、本発明によれば、光補正シートのたわみがシートの自重によって自動的に解消されるので、たわみの発生について人が認識を持っておく必要がなく、また、たわみの解消を人手で行う必要がないので、全く手間のかからない、たわみの防止対策を得ることができる。たわみの発生がなくなるので、面状照明装置の輝度の均一性の向上に繋がる。
【００１７】
従って、本発明の光補正シートとそのたわみ防止構造を備えた面状装置を透過型液晶表示装置のバックライトに用いれば、表示品位の良好な表示装置を得ることができる。
【発明を実施するための最良の形態】
【００１８】
先ず、本発明による面状照明装置の以下の各実施形態における共通の構造について説明する。図１は、前カバー１、光補正シート２(以下、簡単にシート２と称する)、面状発光部３、およびそれらを保持する筐体部品を分解斜視図で模式的に示したものである。
【００１９】
筐体部品は、シート２の後方に配置される矩形の筐体４と、シート２を挟んで筐体４の前面に取り付けられる矩形枠の前カバー１および筐体４の背後の後カバー５とから成る。図では煩雑さを避けるため、シート２は一枚しか描いていないが、先述したように、光偏光選択性反射透過シート、集光シート、拡散シートなど、複数のシートが設けられるのが一般的である。
【００２０】
上記筐体４について詳述すると、図１に示すように、筐体４の矩形の左右の側辺の前面、上辺寄りの位置に、前記したシート２を支持するための後述の係合突起または係止突起が照明装置の背面から正面に向かう向きに突設される（図１ではその内、係合突起４aを形成したものを示している）。これら突起と筐体４とは樹脂の一体成型で形成されたものである。また、この実施形態で、筐体４は、面状発光部３を構成する複数の棒状ランプ３ａのホルダにもなっており、その矩形の枠内に、複数の棒状ランプ３ａが左右に配設されて面状発光部３が構成されている。
【００２１】
以上が本発明の実施形態の共通の構造であり、以下の各実施形態では、その共通構造についての重複説明は避け、各実施形態間で形状の異なる前記係合突起と係合穴および切り欠きとの関係を中心に説明する。
【００２２】
（第１の実施形態）
第１の実施形態では、先述したシート２のたわみ防止構造の内、シート２に設けた係合穴２ａと筐体４の側柱に設けた係合突起４ａとで構成する場合を示す。図２（a）はその筐体４にシート２を装着し、前記前カバー１を外した状態で正面から観た図であり、図２（ｂ）はその係合突起４ａと係合穴２ａの存在部分を、シート２の正面左側の部分について、図２（ｃ）はその右側の部分について、それぞれ要部拡大図で示したものである。
【００２３】
図２（a）に示すように、左右の係合突起４ａと係合穴２ａは、筐体４の縦中心軸を対称軸にして左右対称の位置に、左右対称形状で形成されており、その高さ方向の位置は、筐体４の上辺寄りの位置となっている。次に、係合穴２ａと係合突起４ａの詳細な関わり形態について、図２（ｂ）および（ｃ）を参照して説明する。
【００２４】
図２（ｂ）に示すように、シート２の図の左側の係合突起４ａはその係合断面が長方形を成し、その長軸が左下がりの向きになっている。そして、この係合突起４ａに係合している係合穴２ａは、係合突起４ａの前記係合断面の長方形より大きな長方形を成し、その長軸は前記係合断面の長方形の長軸に平行なものとなっている。この係合穴２ａを係合突起４ａに係合させた状態では、係合穴２ａの上側左下向きの斜辺が係合突起４ａの上側左下向きの斜面にぴったりと接するとともに、係合穴２ａと係合突起４ａが接しているのはこれらの斜辺の部分のみで、他の部分は全く接触のない状態となっている。
【００２５】
同様に、図の右側の係合突起４ａと係合穴２aについても、図２（ｃ）に示すように、前記左側のものとシート２の縦中心軸に対して左右対称の構成をなしており、係合突起４aと係合穴２aの長方形の長軸は右下がりの向きになっており、係合穴２ａの上側右下向きの斜辺が、係合突起４ａの図の上側右下向きの斜面にぴったりと接するとともに、係合穴２ａと係合突起４ａが接しているのはこれらの斜辺の部分のみで、他の部分は全く接触のない状態となっている。
【００２６】
以上のような係合突起４ａと係合穴２ａの形状およびシート設置時の互いの位置関係により、本実施例のシート２を、前記係合穴２ａを介して係合突起４ａに垂下すると、シート２が係合突起４ａに及ぼす自重ｇの反力は、シート２の係合穴２ａの上側外寄りの斜辺部のみにかかるようになっている。従って、左右それぞれの係合穴２ａにおいて、それが係合突起４ａから受ける反力の水平分力２ｈは全て外向きに向かうので、シート２は、それら左右の外向き水平分力２ｈにより、図２（ｄ）に示すように、その板面に沿って緊張状態が与えられるのである。図中、二点鎖線で示したのは、たわみのある状態のシートである。
【００２７】
本実施形態では、係合突起４ａと係合穴２ａを長方形にし、係合穴２ａの方を係合断面より大きな長方形にしたが、この係合突起４ａの係合断面や係合穴２ａの形状はこれらに限られるものではなく、例えば、図３（ａ）に示したように、係合穴２ａは長方形にして、係合突起４ａのほうは、その係合断面が前記係合穴の長方形に含まれるような大きさの円、すなわち、その直径が係合穴２ａの長方形の短辺より小さな値の円であってもよい。
【００２８】
また、同じく、図３（ｂ）に示したように、係合穴２ａを長方形にした場合に、係合突起４ａとして、その係合断面が前記長方形の長辺と短辺より小さな値の長径と短径を有する楕円であってもよい。
【００２９】
さらに、図３（ｃ）に示したように、係合穴２ａを三角形にして、係合突起４ａの係合断面がその三角形に含まれるような三角形にしてもよい。
【００３０】
このように、係合穴２ａと係合突起４ａの係合断面の形状の組み合わせについては上記以外にも様々な態様があるが、いずれの場合も、本発明の目的であるところの、シート２のたるみを防止するには、前記したような条件を満たすことが肝要である。
【００３１】
すなわち、左右の各係合穴２ａが、対応する各係合突起４ａの係合断面を隙間をもって含むとともに、少なくとも、シート２の縦中心軸に対して左のものは左下に、右のものは右下に向かう斜辺を有した形状を成し、各係合突起４ａは、シート２をそれに垂下した際、前記係合穴２ａに対し、係合穴２ａとの接触部位が係合穴２ａの斜辺部のみとなるような形状と位置関係を有していることである。
【００３２】
そうでないと、例えば、図３（ｄ）に示したような長方形の係合穴２ａと長方形断面の係合突起４ａとが、その長手の斜辺とだけでなく、その隣の短辺とも接して、係合穴２ａが両辺によって支持される場合には、短辺で接触している部分では、その水平分力２h‘がシート２の内側に向かうようになり、外向きの水平分力を相殺して、その効果を大きく減衰させるからである。
【００３３】
なお、本実施形態では、係合突起４aを筐体４の部分に設けたがこれを前カバー１（前カバー１の裏面側）に設ける構成にすることも可能である。
【００３４】
以上より、本実施形態では、その本質的構成さえ満たしていれば、光補正シート２のたわみの防止を、係合突起４ａと係合穴２ａという簡単な構造で実現することができる。
【００３５】
（第２の実施形態）
第２の実施形態では、前記第１の実施形態のシート２の係合穴２ａに替えて切り欠きを形成し、その切り欠きと、筐体４に形成した係止突起とで、シート２のたわみを防止しようとするものである。図４（a）に、その係止突起４ｂと切り欠き２ｂを有した筐体４とシート２を、それらを設置した状態で示す。また、図４（ｂ）にその係止突起４ｂと切り欠き２ｂとがかかわっている状態を部分拡大図で示す。
【００３６】
先ず、図４（ａ）に示すように、係止突起４ｂは筐体４の下辺の前面に筐体４の縦軸を対称軸にして左右対称の位置に形成し、その筐体４の前面に平行な断面が長方形を成している。そして、その長方形断面の長手方向の軸が、筐体4の縦中心軸を対称軸にして、ハの字を成すような形で形成している。
【００３７】
他方、シート２の切り欠き２ｂは、シート２の下縁の部分に、図４（ａ）に示したような形状で形成されており、図４（ｂ）に示すように、その斜辺の傾斜角αは、前記係止突起４ｂの長方形断面の長軸の傾角βと同じとなっている。また、その斜辺の部分は、前記係止突起４ｂの長方形断面の長辺より長い寸法となっており、シート２上の形成位置は、シート２を係止突起４ｂに係止させて垂下させた際、係止突起４ｂの図の上側の斜面が切り欠き２ｂの斜辺とのみ接するような形になっている。このような構成は、図の右側の切り欠き２ｂと係止突起４ｂとの関係においても同じである。
【００３８】
このような切り欠き２ｂと係止突起４ｂの形状、および、それらを取り付けた際の位置関係により、係止突起４ｂからの反力は全て切り欠き２ｂの斜辺の部分にのみかかるので、その反力の水平分力は左右それぞれの切り欠き２ｂにおいて全て外向きになり、シート２に、その板面に沿った緊張力を付与することになる。
【００３９】
以上のように、本実施形態においても、前記第１の実施形態の場合と同様、シート２を、左右の切り欠き２ｂを介して左右の係止突起４ｂに係止させることにより、各係止突起４ｂから受ける反力の外向き水平分力によって、シート２はその板面に沿って緊張状態が発現されるようになっている。
【００４０】
この場合も、切り欠き形状と係止突起４ｂのシート板面に沿う断面形状との組み合わせについては、様々な態様があるが、肝要なのは、切り欠き２ｂが、少なくとも、シート２の縦中心軸に対して左のものは左下に、右のものは右下に向かう斜辺を有しており、各係止突起４ｂは、シート２をそれに係止した際、前記切り欠き２ｂに対し、切り欠き２ｂとの接触部位が前記斜辺部のみとなるような形状と位置関係を有していることである。
【００４１】
それは、例えば、前記第１の実施形態の場合と同様、係止突起４ｂが図４（ｃ）のような形状を成し、シート２の切り欠き２ｂをそれに係止させた際、切り欠き２ｂがその斜辺部と水平部とで支持されるようであれば、斜辺部のみで支持される場合のような水平分力が発生せず、シート２を緊張状態に保てないからである。
【００４２】
以上のように、第２の実施形態も、前記第１の実施形態と同様、光補正シート２のたわみの防止を切り欠き２ｂと係止突起４ｂを設けるだけの簡単な構造で実現することができる。
【００４３】
（第３の実施形態）
第３の実施形態では、第１の実施形態の係合形状（係合穴と係合突起）が対の形で設けられていたのとは異なり、単独で設けられているものの例を挙げる。図５（ａ）に第３の実施形態の模式図を示す。なお、第１の実施形態と同じ仕様のものについては、同じ符号を付して説明する。
【００４４】
図５（ａ）は、筐体４にシート２を装着し、前カバー１を外した状態で正面から観た図である。本実施形態の場合、筐体４の図の左側辺の上縁寄りに断面真円の回転軸４ｃが紙面の背面側から手前側に向かって突設されている。また、筐体４の図の右側辺の上縁寄りに、第１の実施形態と同じ仕様の係合突起４ａが、これも紙面の背面側から手前側に向かって突設されている。
【００４５】
以上のような形態の筐体４に対応して、光補正シート２には、それを筐体４に取り付ける場合に、その筐体４の回転軸に対応する位置には、筐体４側の回転軸より僅かに大きな直径の真円の係合穴２ｃが、また、係合突起４ａに対応する位置にはその係合突起４ａより大きな長方形の係合穴２ａが形成されており、この係合穴２ａは、前出の第１の実施形態の場合と同様、係合突起４ａの前記係合断面の長方形より大きな長方形を成し、その長軸は前記係合断面の長方形の長軸に平行なものとなっている。
【００４６】
そして、第１の実施形態と同様、この係合穴２ａを係合突起４ａに係合させた状態では、係合穴２ａの上側（右下向きの）斜辺が係合突起４ａの上側（右下向きの）斜面にぴったりと接するとともに、係合穴２ａと係合突起４ａが接しているのはこれらの斜辺の部分のみで、他の部分は全く接触のない状態となっている。
【００４７】
従って、第３の実施形態における筐体４と光補正シート２にあっては、筐体４の係合突起４ａの上側斜辺に、筐体４の回転軸の中心と係合突起４ａの上側斜辺との最短距離にシートの自重を掛け合わせたモーメントが掛かり、シート２は、係合突起からこのモーメントの作用の反力を受け、その反力のシートの外向き（図の右向き）水平分力を受けて、その向きの緊張状態を得ることができる。
【００４８】
（第４の実施形態）
第４の実施形態では、前記第２の実施形態の係合形状（切り欠きと係止突起）が対の形で設けられていたのとは異なり、単独で設けられているものであって、前記第３の実施形態が、回転軸と、係合突起、係合穴との関係であったのに対し、回転軸と、係止突起、切り欠きとの関係のものを採り挙げる。図５（ｂ）に第４の実施形態の模式図を示す。なお、第２の実施形態、第３の実施形態と同じ仕様のものについては、同じ符号を付して説明する。
【００４９】
図５（ｂ）は、筐体４にシート２を装着し、前カバー１を外した状態で正面から観た図である。本実施形態の場合、筐体４の図の左側辺の上縁寄りに第３の実施形態と同じ仕様の断面真円の回転軸４ｃが紙面の背面側から手前側に向かって突設されている。また、筐体４の図の右側辺寄り、かつ、下辺寄りに、第２の実施形態と同じ仕様の係止突起４ｂが、これも紙面の背面側から手前側に向かって突設されている。
【００５０】
以上のような形態の筐体４に対応して、光補正シート２には、それを筐体４に取り付ける場合に、その筐体４の回転軸に対応する位置には、第３の実施形態と同じ仕様の、筐体４側の回転軸４ｃより僅かに大きな直径の真円の係合穴２ｃが、また、係止突起４ｃに対応する位置には、第２の実施形態と同じ仕様の切り欠き２ｂが設けられている。
【００５１】
その切り欠き２ｂの斜辺の部分は、前記係止突起４ｂの長方形断面の長辺より長い寸法となっており、シート２の左上隅の係合穴２ｃを筐体４の回転軸４ｃに回転可能に係合させ、切り欠き２ｂを係止突起４ｂに係止させて垂下させた際、係止突起４ｂの図の上側の斜面が切り欠き２ｂの斜辺とのみ接するような形になっている。
【００５２】
従って、第４の実施形態における筐体４と光補正シート２にあっても、筐体４の係止突起４ｂの上側斜辺に、筐体４の回転軸４ｃの中心と切り欠き２ｂの斜辺との最短距離にシートの自重を掛け合わせたモーメントが掛かり、シート２は、係止突起４ｂからこのモーメントの作用の反力を受け、その反力のシート２の外向き（図の右向き）の水平分力を受けて、緊張状態を得ることができる。
【産業上の利用可能性】
【００５３】
この発明は光補正シートを有する面状照明装置のその光補正シートのたわみの防止対策全般に利用できる。
【図面の簡単な説明】
【００５４】
【図１】は、本発明の実施形態における共通構造を示す分解斜視図である。
【図２】は、（ａ）に、第１の実施形態におけるシートを筐体に装着した状態を正面図で示し、（ｂ）、（ｃ）に（ａ）の要部拡大図を示したものである。また、（ｄ）は本発明の効果を示す図である。
【図３】は、（ａ）、（ｂ）、（ｃ）に第１の実施形態の変形例を示し、（ｄ）に、第１の実施形態を実施する際の肝要事項を要部拡大図で示したものである。
【図４】は、（ａ）に、本発明の第２の実施形態における光補正シートを筐体に装着した状態を正面図で示し、（ｂ）に（ａ）の要部拡大図を示したものである。
【図５】は、（ａ）に第３の実施形態を、（ｂ）に第４の実施形態を、それぞれ正面図で模式的に示したものである。
【符号の説明】
【００５５】
１    前カバー
２    光補正シート
２ａ    係合穴
２ｂ    切り欠き
２ｃ    係合穴
３    面状発光部
３ａ    棒状ランプ
４    筐体
４ａ    係合突起
４ｂ    係止突起
４ｃ    回転軸
【図１】
2006331649.tif 000003
【図２】
2006331649.tif 000004
【図３】
2006331649.tif 000005
【図４】
2006331649.tif 000006
【図５】
2006331649.tif 000007